(57)【要約】【課題】複数方式の放送波を受信可能な無線受信端末装置において、回路規模を小さくすることができ、かつ、スキャン処理にかかる時間を短くすることができる「無線受信端末装置および受信チャンネルのスキャン方法」を提供する。【解決手段】フロントエンド回路１００を複数方式に共通の回路として１組のみ備えることで、回路規模を小さくするとともに、方式切り替えの度にフロントエンド回路１００の機能を変えるためのソフトウェア更新を行わなくても済むようにする。また、複数の放送方式またがるスキャン処理の実行時に、ＦＦＴ処理部１４に設定するＦＦＴサイズを順次切り替えていき、同期検出部１５により同期信号が検出できたときに設定されているＦＦＴサイズの値および同期信号の種類に基づいて放送方式を方式判定部１６が判定することにより、方式切り替えの際にチューナ１１の周波数設定を一々行う必要もなくす。【選択図】        図１
2010016779.tif 000002
【特許請求の範囲】
【請求項１】
ＯＦＤＭ変調された複数方式の放送波の受信に対応した無線受信端末装置であって、
上記ＯＦＤＭ変調された放送波を受信して選局するチューナと、
上記チューナより出力される信号に対してＯＦＤＭ復調を行うＯＦＤＭ復調部と、
上記ＯＦＤＭ復調部より出力される信号から同期信号を検出する同期検出部と、
上記ＯＦＤＭ復調部に設定される復調パラメータの値および上記同期検出部により検出される上記同期信号の種類の少なくとも一方に基づいて、上記複数方式のうち受信可能な方式を判定する方式判定部と、
上記ＯＦＤＭ復調部より出力される信号に対して、上記方式判定部により判定された方式に対応した復号処理を行う復号部と、
上記チューナでの選局処理、上記ＯＦＤＭ復調部に対する上記復調パラメータの設定処理および上記復号部での復号処理を制御する制御部とを備え、
上記チューナ、上記ＯＦＤＭ復調部、上記同期検出部および上記方式判定部を上記複数方式に共通のフロントエンド回路として１組備え、
上記制御部は、上記チューナで選局する受信周波数を順次切り替えて受信可能なチャンネルリストを作成するスキャン処理を行う際に、選局する１つの受信周波数に対して、上記複数方式に対応した複数の上記復調パラメータを順次切り替えて上記ＯＦＤＭ復調部に設定していき、
上記方式判定部は、上記制御部により順次切り替えて設定された上記複数方式の複数の上記復調パラメータのうち、上記同期検出部により上記同期信号が検出されたときの上記復調パラメータの値と、上記同期検出部により検出された上記同期信号の種類との少なくとも一方に基づいて、上記複数方式のうち受信可能な方式を判定することを特徴とする無線受信端末装置。
【請求項２】
上記ＯＦＤＭ復調部より出力される信号から、上記複数方式でそれぞれ規定している制御信号を検出する制御信号検出部を更に備え、
上記方式判定部は、上記ＯＦＤＭ復調部に設定された復調パラメータの値および上記同期検出部により検出された上記同期信号の種類に加え、上記制御信号検出部により検出された上記制御信号の種類に基づいて、上記複数方式のうち受信可能な方式を判定することを特徴とする請求項１に記載の無線受信端末装置。
【請求項３】
ＯＦＤＭ変調された複数方式の放送波の受信に対応した無線受信端末装置であって、上記ＯＦＤＭ変調された放送波を受信して選局するチューナと、上記チューナより出力される信号に対してＯＦＤＭ復調を行うＯＦＤＭ復調部と、上記ＯＦＤＭ復調部より出力される信号から同期信号を検出する同期検出部と、上記ＯＦＤＭ復調部に設定される復調パラメータの値および上記同期検出部により検出される上記同期信号の種類の組み合わせに基づいて、上記複数方式のうち受信可能な方式を判定する方式判定部と、上記チューナでの選局処理および上記ＯＦＤＭ復調部に対する上記復調パラメータの設定処理を制御する制御部とを備え、上記チューナ、上記ＯＦＤＭ復調部、上記同期検出部および上記方式判定部を上記複数方式に共通のフロントエンド回路として１組備えた無線受信端末装置において受信チャンネルのスキャン処理を行う方法であって、
上記制御部が、選局する受信周波数を上記チューナに設定する受信周波数設定ステップと、
上記制御部が、上記受信周波数設定ステップで設定した受信周波数に対して、上記複数方式に対応した複数の上記復調パラメータを上記ＯＦＤＭ復調部に順次設定するパラメータ設定ステップと、
上記方式判定部が、上記パラメータ設定ステップで順次切り替えて設定された上記複数方式の複数の上記復調パラメータのうち、上記同期検出部により上記同期信号が検出されたときに設定されていた上記復調パラメータの値と、上記同期検出部により検出された上記同期信号の種類との組み合わせに基づいて、上記複数方式のうち受信可能な方式を判定する判定ステップとを有し、
上記受信周波数設定ステップ、上記パラメータ設定ステップおよび上記判定ステップの処理を、上記チューナに設定する上記受信周波数の値を順次切り替えて繰り返し行うことを特徴とする受信チャンネルのスキャン方法。
【発明の詳細な説明】
【技術分野】
【０００１】
本発明は、無線受信端末装置および受信チャンネルのスキャン方法に関し、特に、複数方式の放送波を受信可能な無線受信端末装置および当該無線受信端末装置において実行する受信チャンネルのスキャン方法に用いて好適なものである。
【背景技術】
【０００２】
近年、携帯機器や自動車等の移動体に向けた無線サービスが増えている。例えば、従来のアナログ放送に加え、あるいはこれに代えて、最近ではデジタル放送が受信可能なものも提供されている。例えば欧州には、デジタル放送の規格として、ＤＡＢ（Digital Audio Broadcast）と呼ばれる規格のデジタルラジオ放送や、ＤＶＢ（Digital Video Broadcasting）と呼ばれる規格のデジタルテレビ放送が存在する。そして、これら２つのデジタル放送を１つの端末で受信可能に成された装置も提案されている。
【０００３】
また、デジタルテレビ放送には、国際的に承認された規格である上述のＤＶＢの他に、日本において日本放送協会が中心となって開発された規格であるＩＳＤＢ（Integrated Services Digital Broadcasting）や、アメリカで開発された規格であるＡＴＳＣ（Advanced Television Systems Committee）等の無線サービスがある。
【０００４】
ところで、経済のグローバル化に伴い、１つのメーカが複数の国に向けた無線受信端末装置を製造することが多くなってきている。この場合、複数の規格（放送方式）に対応した無線受信回路を１つの無線受信端末装置に実装しておけば、メーカは仕向け国別に製品を製造する必要がなくなるというメリットを享受できる。
【０００５】
従来、これら複数規格（複数方式）の無線サービスを１つの無線受信端末装置で受信するためには、それぞれの方式に合わせて設計した専用のアンテナや無線受信回路を別々に用意する必要があった。このため、実装しようとする無線サービスの方式の数に応じて回路規模が大きくなり、コストも増大するという問題があった。特に、携帯電話機のような小型の端末に、このように大規模な無線受信回路を実装することは難しかった。
【０００６】
このような問題を解決する手法の１つとして、「リコンフィギュラブル無線回路」と呼ばれる技術が存在する。リコンフィギュラブル無線回路は、適用するソフトウェアを更新することで受信機能を自在に切り替えることができるようにした技術である。この技術を使えば、複数方式の無線サービスを必要に応じて切り替えて利用する無線受信端末装置を、マルチバンドアンテナやマルチバンドＲＦ（Radio Frequency）回路等を用いた１組の無線受信回路を用意するだけで実現することができる。
【０００７】
例えば、ＧＰＳ受信部により検出された受信機の現在位置と、受信した電波におけるテレビ放送規格の判別結果とに基づいて変調方式を特定し、当該特定した変調方式に対応させるようにソフトウェアの更新によってプログラマブルロジック回路の機能を切り替えて、受信したテレビ放送規格の電波を復調処理するリコンフィギュラブル受信機が提案されている（例えば、特許文献１参照）。また、ＴＶチャンネル走査情報を用いたＴＶ信号のチューニング処理を実行し、復調する帯域幅を、チャンネル走査したＴＶ信号のＴＶチャンネル走査情報から予測する技術も提案されている（例えば、特許文献２参照）。
【特許文献１】特開２００６−８６７３０号公報
【特許文献２】特開２００７−８９０３８号公報
【発明の開示】
【発明が解決しようとする課題】
【０００８】
しかしながら、リコンフィギュラブル無線回路のように、利用する無線サービスの切り替えをソフトウェアの更新で行う場合、ソフトウェアの更新とチューナでのチャンネル（受信周波数）の再設定とに時間がかかってしまい、応答性能が悪くなるという問題があった。
【０００９】
例えば、無線受信端末装置が存在するエリアで受信可能な放送方式のチャンネルリストを作成するためにスキャン処理を行う場合、複数方式を順に切り替えてスキャン処理を１方式ずつ順番に行っていく必要がある。このとき、放送方式を切り替える度にソフトウェアを更新する必要があるだけでなく、更新後のソフトウェアを使ってチューナでの選局（受信周波数の設定）を繰り返し行わなければならない。このため、スキャン処理が完了するまでに多くの時間がかかってしまうという問題があった。
【００１０】
本発明は、このような問題を解決するために成されたものであり、複数方式の放送波を受信可能な無線受信端末装置において、回路規模を小さくすることができ、かつ、複数方式をまたいだスキャン処理にかかる時間を短くすることができるようにすることを目的とする。
【課題を解決するための手段】
【００１１】
上記した課題を解決するために、本発明では、ＯＦＤＭ変調された放送波を受信してから、受信信号をＯＦＤＭ復調してその復調信号から同期信号を検出するまでの処理を行うフロントエンド回路を複数方式に共通の回路として１組備えるようにする。また、複数の放送方式またがるスキャン処理の実行時に、複数の放送方式に対応した複数の復調パラメータをＯＦＤＭ復調部に順次切り替えて設定していき、ＯＦＤＭの同期がとれたとき（同期信号が検出できたとき）に設定されている復調パラメータの値および同期信号の種類の少なくとも一方に基づいて、複数方式のうち受信可能な方式を判定するようにしている。
【発明の効果】
【００１２】
上記のように構成した本発明によれば、フロントエンド回路が複数の放送方式に共通の回路として１組だけ備えられるので、放送方式の数に応じて複数のフロントエンド回路が備えられる従来技術に比べて、回路規模を小さくすることができる。
【００１３】
また、ＯＦＤＭ変調された放送波を受信する場合、放送波を受信してからそれをＯＦＤＭ復調してその復調信号から同期信号を検出するまでの処理は、放送方式の違いによらず同じ処理（すなわち、同じ機能の回路）で実行できる。このため、複数の放送方式にまたがるスキャン処理を行う際に、方式切り替えの度に、回路の機能を変えるためにソフトウェアの更新を行う必要がない。
【００１４】
さらに、放送方式の違いは、ＯＦＤＭ復調部に設定される復調パラメータの値および検出される同期信号の種類の少なくとも一方から判別することができる。本発明では、複数の放送方式にまたがるスキャン処理を行う場合に、１つの受信周波数に対して、ＯＦＤＭの復調パラメータとして複数の放送方式に対応した値をＯＦＤＭ復調部に順次設定していき、ＯＦＤＭの同期がとれるかどうかを判定すればよいので、放送方式の切り替えの際にチューナの周波数設定を一々変える必要がない。
【００１５】
以上のように、本発明によれば、方式切り替えの度にソフトウェアの更新やチューナの周波数設定を行う必要がないので、複数方式にまたがるスキャン処理にかかる時間を短くすることができる。
【発明を実施するための最良の形態】
【００１６】
（第１の実施形態）
以下、本発明の一実施形態を図面に基づいて説明する。図１は、第１の実施形態による無線受信端末装置の構成例を示すブロック図である。第１の実施形態の無線受信端末装置は、ＯＦＤＭ変調された複数方式の放送波を受信可能な装置であって、図１に示すように、１つのフロントエンド回路１００と、複数の復号回路２００と、１つのコントローラ（ＣＰＵ）３００とを備えている。
【００１７】
第１の実施形態では、複数の復号回路２００は、無線受信端末装置が受信可能な放送方式の数に対応した数だけ備えられている。ここでは一例として、欧州のデジタルラジオ放送規格であるＤＡＢと、欧州のデジタルテレビ放送規格であるＤＶＢとの２つの放送方式の放送波を無線受信端末装置が受信可能であるものとする。この場合、複数の復号回路２００は、ＤＡＢ用の復号回路２００Ａと、ＤＶＢ用の復号回路２００Ｂとにより構成される。
【００１８】
フロントエンド回路１００は、上記２つの放送方式で共通に使用する回路として、無線受信端末装置に１つだけ備えられている。このフロントエンド回路１００は、図１に示すように、チューナ１１、Ａ／Ｄ変換器１２、直交復調部１３、ＦＦＴ処理部１４、同期検出部１５および方式判定部１６を備えている。
【００１９】
チューナ１１は、フロントエンド回路１００に接続されたアンテナ４００を介して、ＯＦＤＭ変調された放送波を受信して選局する。このチューナ１１は、ＤＡＢの放送周波数帯とＤＶＢの放送周波数帯との双方に対応した所謂マルチバンドチューナである。具体的に、チューナ１１は、図２に示すように、アンテナ入力回路２１、高周波増幅回路２２、周波数変換回路（ミキサ）２３、局部発振回路２４、選局回路２５、中間周波増幅回路２６等を備えており、これらは公知の技術を適用することが可能である。
【００２０】
アンテナ４００で受信される放送波の信号は、放送局側でＯＦＤＭ変調された後に、さらに直交変調による周波数変換によってＲＦ信号にアップコンバートされたものである。チューナ１１のアンテナ入力回路２１は、アンテナ４００で受信したＲＦ信号から妨害信号を排除する処理等を行う。高周波増幅回路２２は、アンテナ入力回路２１から出力されるＲＦ信号をそのままの周波数で特定の帯域だけ選択的に増幅する処理を行う。
【００２１】
周波数変換回路２３は、高周波増幅回路２２から出力されるＲＦ信号と局部発振回路２４から出力される局部発振信号とを混合して、それらの差の周波数から成る信号を得ることで、ＲＦ信号をＩＦ（Intermediate Frequency）信号に変換する。選局回路２５は、選局された受信周波数（放送チャンネル）に対応した値に局部発振信号の周波数（局部発振周波数）を設定する。例えば、無線受信端末装置が存在するエリアで受信可能な放送方式のチャンネルリストを作成するためにスキャン処理を行う場合、選局回路２５は、ＣＰＵ３００からの制御に従って、局部発振回路２４から出力する局部発振信号の局部発振周波数を順次切り替えて設定する。
【００２２】
中間周波増幅回路２６は、周波数変換回路２３から出力されるＩＦ信号を増幅するとともに、希望波以外の信号を除去する処理を行う。中間周波増幅回路２６にて増幅されたＩＦ信号は、図１のＡ／Ｄ変換器１２に供給される。Ａ／Ｄ変換器１２は、チューナ１１の中間周波増幅回路２６から出力されるＩＦ信号をアナログ信号からデジタル信号に変換する。直交復調部１３は、Ａ／Ｄ変換器１２から出力されるデジタルのＩＦ信号（直交変調されたもの）をベースバンドに復調（ダウンコンバート）する。
【００２３】
ＦＦＴ処理部１４は、本発明のＯＦＤＭ復調部に相当するものであり、直交復調部１３により生成されたベースバンド信号（チューナ１１より出力された信号の周波数がダウンコンバートされたもの）に対して高速フーリエ変換（ＦＦＴ）処理を行う。ここで行うＦＦＴ処理は、放送局側で放送波の信号に対して行われたＯＦＤＭ変調（ＩＦＦＴ処理）に対する公知のＯＦＤＭ復調処理に相当する。
【００２４】
ＦＦＴ処理部１４は、ＦＦＴ処理を行う際に、直交復調部１３より出力される信号に対して窓関数を設定する。すなわち、窓関数により設定した窓の中の部分だけが、過去から未来まで永遠に繰り返す周期波形であると仮定してＦＦＴ処理を行う。周期波形であると仮定するので、信号をフーリエ級数に展開でき、高調波を解析することができる。
【００２５】
なお、直交復調部１３より出力される信号に対して窓関数を設定する前に、ＡＦＣ（Automatic frequency control）等の自動周波数制御により、直交復調部１３より出力される信号の周波数（受信周波数）を安定にする処理を行っても良い。ＡＦＣは、受信周波数と放送周波数とのずれをフィードバックして、信号の周波数を自動的に放送周波数に合わせる処理である。受信周波数のずれを補正することにより、ＤＣオフセットの発生を抑制することができる。
【００２６】
ＦＦＴ処理部１４はまた、直交復調部１３より出力される信号に対してＦＦＴ処理を行う際に、復調パラメータとしてＦＦＴサイズ（ＯＦＤＭのキャリア間隔に相当する）を設定する。適切なＦＦＴサイズは、本実施形態の無線受信端末装置が受信している放送波による。すなわち、放送局側では放送波の信号をＯＦＤＭ変調する際に、所望のＦＦＴサイズを決定する。したがって、ＯＦＤＭ復調を行うＦＦＴ処理部１４では、ＯＦＤＭ変調の際に使われたＦＦＴサイズと同じサイズを設定してＦＦＴ処理を実行する必要がある。
【００２７】
本実施形態の無線受信端末装置が存在するエリアで受信可能な放送局のチャンネルリストを作成するためにスキャン処理を行う場合、適切なＦＦＴサイズは未知である。チューナ１１に対してある放送チャンネルの周波数を設定した上で、ＦＦＴ処理部１４は、コントローラ３００からの制御に従って、異なる値のＦＦＴサイズを可変パラメータとして順次設定する。そして、設定したそれぞれのＦＦＴサイズでＦＦＴ処理部１４がＦＦＴ処理を行った結果、ＯＦＤＭのキャリアがきちんと検出できたかどうか、言い換えると、ＯＦＤＭの同期がとれたかどうかを後述の同期検出部１５が判定することによって、その放送チャンネルが受信できるかどうかを確認する。
【００２８】
なお、放送方式がＤＡＢの場合、放送局側でＯＦＤＭ変調する際に設定可能なＦＦＴサイズは１／４ｋＨｚ、１／２ｋＨｚ、１ｋＨｚ、２ｋＨｚの何れかである。また、放送方式がＤＶＢの場合、放送局側でＯＦＤＭ変調する際に設定可能なＦＦＴサイズは２ｋＨｚ、４ｋＨｚ、８ｋＨｚの何れかである。すなわち、スキャン処理を行う場合にＦＦＴ処理部１４は、これらのＦＦＴサイズを可変パラメータとして順次設定し、ＦＦＴ処理を実行する。詳しくは後述するが、ＦＦＴ処理部１４は、１つの放送チャンネル（受信周波数）に対して、上記２つの放送方式に対応した複数のＦＦＴサイズを順次切り替えて設定していく。
【００２９】
同期検出部１５は、ＦＦＴ処理部１４より出力される信号から同期信号を検出する。検出される同期信号の種類は、受信している放送波の方式（規格）によって異なる。ＤＡＢの放送波を受信している場合、同期検出部１５は、“Frame Preamble”と呼ばれる同期信号（以下、ＦＰ信号という）を検出する。また、ＤＶＢの放送波を受信している場合、同期検出部１５は、“ＳＰ（Scattered Pilot）”と呼ばれる同期信号（以下、ＳＰ信号という）を検出する。
【００３０】
方式判定部１６は、ＦＦＴ処理部１４に復調パラメータとして設定されるＦＦＴサイズの値と、同期検出部１５により検出される同期信号の種類との組み合わせに基づいて、複数方式のうち受信可能な方式を判定する。また、方式判定部１６は、上述したように、ＦＦＴ処理部１４によるＦＦＴ処理の結果、ＯＦＤＭの同期がとれたかどうか（同期検出部１５により同期信号が検出できたかどうか）によって、現在チューナ１１に設定されている放送チャンネルが受信可能なチャンネルであるかどうかを判定する。
【００３１】
例えば、１／４ｋＨｚ、１／２ｋＨｚ、１ｋＨｚ、２ｋＨｚの何れかのＦＦＴサイズをＦＦＴ処理部１４に設定したときに、同期検出部１５によりＦＰ信号が検出されれば、方式判定部１６は、ＤＡＢの放送方式を受信可能と判定する。また、２ｋＨｚ、４ｋＨｚ、８ｋＨｚの何れかのＦＦＴサイズをＦＦＴ処理部１４に設定したときに、同期検出部１５によりＳＰ信号が検出されれば、方式判定部１６は、ＤＶＢの放送方式を受信可能と判定する。この判定の際に方式判定部１６は、ＦＦＴ処理部１４にどのＦＦＴサイズが設定されているかという情報をコントローラ３００から取得し、どの同期信号が検出されたかという情報を同期検出部１５から取得する。
【００３２】
複数の復号回路２００は、それぞれが本発明の復号部に相当するものであり、方式判定部１６により受信可能と判定された放送方式に対応した復号処理を行う。すなわち、ＤＡＢ用の復号回路２００Ａは、ＤＡＢの放送方式に対応した復号処理を行って、いわゆるトランスポートストリーム信号を生成する。ＤＶＢ用の復号回路２００Ｂは、ＤＶＢの放送方式に対応した復号処理を行って、いわゆるトランスポートストリーム信号を生成する。
【００３３】
コントローラ３００は、本発明の制御部に相当するものであり、フロントエンド回路１００が備えるチューナ１１での選局処理、ＦＦＴ処理部１４に対する復調パラメータ（ＦＦＴサイズ）の設定処理および復号回路２００での復号処理を制御する。コントローラ３００は、チューナ１１で選局する受信周波数を順次切り替えて受信可能なチャンネルリストを作成するスキャン処理を行う際に、選局する１つの受信周波数に対して、複数の放送方式に対応したＦＦＴサイズの値をＦＦＴ処理部１４に順次切り替えて設定するように制御する。
【００３４】
この場合に方式判定部１６は、コントローラ３００により順次切り替えて設定された異なる値のＦＦＴサイズのうち、ＦＦＴ処理部１４より出力される信号からＯＦＤＭの同期がとれたときのＦＦＴサイズの値と、同期検出部１５により検出された同期信号の種類との組み合わせに基づいて、複数方式のうち受信可能な方式を判定する。
【００３５】
例えば、コントローラ３００は、ある放送チャンネルの受信周波数をチューナ１１に設定した状態で、ＦＦＴ処理部１４に設定するＦＦＴサイズをＤＡＢの１／４ｋＨｚ、１／２ｋＨｚ、１ｋＨｚ、２ｋＨｚに順次切り替える。このとき、同期検出部１５によりＦＰ信号が検出されれば、方式判定部１６は、ＤＡＢの放送方式を受信可能と判定する。一方、ＦＰ信号が検出できなければ、コントローラ３００は次に、チューナ１１に設定している受信周波数はそのままにして、ＦＦＴ処理部１４に設定するＦＦＴサイズをＤＶＢの２ｋＨｚ、４ｋＨｚ、８ｋＨｚに順次切り替える。このとき、同期検出部１５によりＳＰ信号が検出されれば、方式判定部１６は、ＤＶＢの放送方式を受信可能と判定する。
【００３６】
次に、上記のように構成した第１の実施形態による無線受信端末装置の動作を説明する。図３は、第１の実施形態による無線受信端末装置のスキャン処理の動作例を示すフローチャートである。図３において、コントローラ３００は、ある１つの放送チャンネル（選局する受信周波数）をチューナ１１に設定する（ステップＳ１）。次に、コントローラ３００は、ステップＳ１で設定した受信周波数に対して、ある放送方式のＦＦＴサイズをＦＦＴ処理部１４に設定する（ステップＳ２）。本実施形態のように、ＤＡＢおよびＤＶＢの２つの放送方式の放送波を無線受信端末装置が受信可能な場合、例えば、ＤＡＢの放送方式で設定可能なＦＦＴサイズの１つ（例えば、１／４ｋＨｚ）をＦＦＴ処理部１４に最初に設定する。
【００３７】
この状態で、チューナ１１、Ａ／Ｄ変換器１２、直交復調部１３およびＦＦＴ処理部１４の一連の受信処理を実行する（ステップＳ３）。このとき同期検出部１５は、ＦＦＴ処理部１４より出力される信号から同期信号の検出を試みる。ここでは、ＤＡＢの同期信号であるＦＰ信号の検出を試みる。そして、同期検出部１５は、ＦＰ信号が検出できたかどうかを判定する（ステップＳ４）。ＦＰ信号が検出できた場合、同期検出部１５はその結果を方式判定部１６に通知する（ステップＳ５）。
【００３８】
方式判定部１６は、同期検出部１５により検出された同期信号の種類（いまの例ではＦＰ信号）と、ステップＳ２で設定されたＦＦＴサイズの値（いまの例では１／４ｋＨｚ）との組み合わせに基づいて、複数方式のうち受信可能な方式（いまの例ではＤＡＢが受信可能であること）を判定する（ステップＳ６）。そして、方式判定部１６はその判定結果をコントローラ３００に通知する。この通知を受けてコントローラ３００は、図示しないメモリに判定結果の情報を保持する（ステップＳ７）。この判定結果の情報は、放送チャンネル（受信周波数）と、その受信周波数で受信可能な放送方式の種類と、ＦＦＴサイズとを表す情報を含んでいる。
【００３９】
次に、コントローラ３００は、全ての放送チャンネルについてスキャン処理が終了したかどうかを判定し（ステップＳ８）、終了していなければステップＳ１の処理に戻り、次の放送チャンネルを設定する。一方、全ての放送チャンネルについてスキャン処理が終了した場合は、スキャン処理を終了する。スキャン処理の終了後、コントローラ３００は、図示しないメモリに保持されている判定結果の情報に基づいて、復調回路２００を制御する。すなわち、コントローラ３００は、複数の復調回路２００Ａ，２００Ｂのうち、受信可能な放送方式に対応する方を動作させて、ＯＦＤＭ復調信号からトランスポートストリーム信号を生成する。
【００４０】
上記ステップＳ４において、同期検出部１５がＦＰ信号を検出できなかったと判定した場合は、ステップＳ２に戻り、ＤＡＢの放送方式で設定可能な他のＦＦＴサイズ（例えば、１／２ｋＨｚ）をコントローラ３００がＦＦＴ処理部１４に設定する。そして、ステップＳ３〜Ｓ４の処理を行って、同期検出部１５によりＦＰ信号が検出できたかどうかを再び判定する。それでもＦＰ信号を検出できない場合は、再びステップＳ２の処理に戻る。以下同様にして、同期検出部１５によりＦＰ信号が検出されない限り、ＤＡＢの放送方式で設定可能な他のＦＦＴサイズとして１ｋＨｚ、２ｋＨｚをＦＦＴ処理部１４に順次設定し、同期検出部１５がＦＰ信号を検出できたかどうかを判定する。
【００４１】
ＤＡＢの放送方式で設定可能な全てのＦＦＴサイズ（１／４ｋＨｚ、１／２ｋＨｚ、１ｋＨｚ、２ｋＨｚ）をＦＦＴ処理部１４に順次設定したにもかかわらず、同期検出部１５においてＦＰ信号を検出できなかった場合、次にコントローラ３００は、ＤＡＢとは異なる放送方式であるＤＶＢで設定可能なＦＦＴサイズの１つ（例えば、２ｋＨｚ）をＦＦＴ処理部１４に設定する（ステップＳ２）。
【００４２】
この状態で、チューナ１１、Ａ／Ｄ変換器１２、直交復調部１３およびＦＦＴ処理部１４の一連の受信処理を実行する（ステップＳ３）。このとき同期検出部１５は、ＦＦＴ処理部１４より出力される信号から同期信号の検出を試みる。ここでは、ＤＶＢの同期信号であるＳＰ信号の検出を試みる。そして、同期検出部１５は、ＳＰ信号が検出できたかどうかを判定する（ステップＳ４）。
【００４３】
ここで、ＳＰ信号が検出できなかった場合は、ステップＳ２〜Ｓ４のループ処理を繰り返し行う。すなわち、同期検出部１５によりＳＰ信号が検出されない限り、ＤＶＢの放送方式で設定可能な他のＦＦＴサイズとして４ｋＨｚ、８ｋＨｚをコントローラ３００がＦＦＴ処理部１４に順次設定し、同期検出部１５がＳＰ信号を検出できたかどうかを判定する。このループ処理において、何れかのＦＦＴサイズをＦＦＴ処理部１４に設定したときに同期検出部１５によりＳＰ信号が検出できた場合は、ステップＳ５〜Ｓ８の処理に進む。
【００４４】
以上詳しく説明したように、第１の実施形態では、チューナ１１、Ａ／Ｄ変換器１２、直交復調部１３、ＦＦＴ処理部１４、同期検出部１５および方式判定部１６を含むフロントエンド回路１００を複数方式に共通の回路として１組だけ備える。そして、複数の放送方式に対応したＦＦＴサイズをＦＦＴ処理部１４に順次切り替えて設定していき、ＯＦＤＭの同期がとれたとき（同期信号が検出できたとき）に設定されているＦＦＴサイズの値および同期信号の種類の組み合わせに基づいて、複数方式のうち受信可能な方式を判定するようにしている。
【００４５】
このように、第１の実施形態によれば、フロントエンド回路１００が複数の放送方式に共通の回路として１組だけ備えられるので、放送方式の数に応じて複数のフロントエンド回路が備えられる従来技術に比べて、回路規模を小さくすることができる。
【００４６】
また、第１の実施形態によれば、ＯＦＤＭ変調された放送波を受信してからそれをＯＦＤＭ復調してその復調信号から同期信号を検出するまでの処理を、放送方式の違いによらずフロントエンド回路１００の同じ機能で実行することができる。このため、複数方式にまたがるスキャン処理を行う際に、方式切り替えの度に、回路の機能を変えるためにソフトウェアの更新を行う必要がない。
【００４７】
さらに、第１の実施形態によれば、ＦＦＴ処理部１４に設定されるＦＦＴサイズの値と、同期検出部１５により検出される同期信号の種類との組み合わせから放送方式の種類を判別することができる。特に第１の実施形態では、複数の放送方式にまたがるスキャン処理を行う場合に、１つの受信周波数に対して、複数の放送方式に対応したＦＦＴサイズをＦＦＴ処理部１４に順次設定していき、ＯＦＤＭの同期がとれるかどうかを判定すればよい。すなわち、図３のフローチャートに示したように、スキャンする放送方式を切り替える際に、ステップＳ４からステップＳ１に一々戻ってチューナ１１の周波数設定を改めて行う必要がなく、ステップＳ２に戻ってＦＦＴサイズの値を変えてＯＦＤＭの同期がとれるかどうかを判定すればよい。
【００４８】
以上のように、第１の実施形態によれば、放送方式の切り替えの度にソフトウェアの更新やチューナ１１の周波数設定を行う必要がないので、複数方式にまたがるスキャン処理にかかる時間を短くすることができる。
【００４９】
（第２の実施形態）
次に、本発明の第２の実施形態を図面に基づいて説明する。図４は、第２の実施形態による無線受信端末装置の構成例を示すブロック図である。第２の実施形態の無線受信端末装置は、ＯＦＤＭ変調された複数方式の放送波を受信可能な装置であって、図４に示すように、１つのフロントエンド回路１００’と、複数の復号回路２００と、１つのコントローラ（ＣＰＵ）３００とを備えている。
【００５０】
第２の実施形態でも、複数の復号回路２００は、無線受信端末装置が受信可能な放送方式の数に対応した数だけ備えられている。ここでは一例として、第１の実施形態で説明したＤＡＢおよびＤＶＢに加え、日本のデジタルテレビ放送規格であるＩＳＤＢの３つの放送方式の放送波を無線受信端末装置が受信可能であるものとする。この場合、複数の復号回路２００は、ＤＡＢ用の復号回路２００Ａと、ＤＶＢ用の復号回路２００Ｂと、ＩＳＤＢ用の復号回路２００Ｃとにより構成される。
【００５１】
なお、放送方式がＩＳＤＢの場合、放送局側でＯＦＤＭ変調する際に設定可能なＦＦＴサイズはＤＶＢと同じで、２ｋＨｚ、４ｋＨｚ、８ｋＨｚの何れかである。したがって、スキャン処理を行う場合にＦＦＴ処理部１４は、これらのＦＦＴサイズを可変パラメータとして順次設定し、ＦＦＴ処理を実行する。また、放送方式がＩＳＤＢの場合、同期検出部１５により検出される同期信号もＤＶＢと同じで、ＳＰ信号である。
【００５２】
フロントエンド回路１００’は、上記３つの放送方式で共通に使用する回路として、無線受信端末装置に１つだけ備えられている。このフロントエンド回路１００’は、図４に示すように、チューナ１１’、Ａ／Ｄ変換器１２、直交復調部１３、ＦＦＴ処理部１４、同期検出部１５、方式判定部１６’および制御信号検出部１７を備えている。なお、この図４において、図１に示した符号と同一の符号を付したものは同一の機能を有するものであるので、ここでは重複する説明を省略する。
【００５３】
チューナ１１’は、フロントエンド回路１００’に接続されたアンテナ４００を介して、ＯＦＤＭ変調された放送波を受信して選局する。このチューナ１１’は、ＤＡＢの放送周波数帯、ＤＶＢの放送周波数帯およびＩＳＤＢの放送周波数帯に対応した所謂マルチバンドチューナである。
【００５４】
制御信号検出部１７は、ＦＦＴ処理部１４より出力される信号から、各放送方式で同期検出のためにそれぞれ規定している制御信号を検出する。放送方式がＤＶＢの場合、ＴＰＳ（Transmission Parameter Signaling）パイロット信号（以下、ＴＰＳ信号という）と呼ばれる制御信号が規定されている。また、放送方式がＩＳＤＢの場合、ＴＭＣＣ（Transmission and Multiplexing Configuration Control）パイロット信号（以下、ＴＭＣＣ信号という）と呼ばれる制御信号が規定されている。すなわち、制御信号検出部１７は、ＦＦＴ処理部１４より出力される信号から、ＴＰＳ信号またはＴＭＣＣ信号の何れかを検出する。
【００５５】
方式判定部１６’は、ＦＦＴ処理部１４に復調パラメータとして設定されるＦＦＴサイズの値および同期検出部１５により検出される同期信号の種類（ＦＰ信号またはＳＰ信号の何れか）の組み合わせに加え、制御信号検出部１７により検出される制御信号の種類に基づいて、３つの放送方式のうち受信可能な方式を判定する。
【００５６】
上述したように、ＤＶＢとＩＳＤＢは、ＦＦＴ処理部１４に復調パラメータとして設定されるＦＦＴサイズの値が全く同じであり（両方式とも２ｋＨｚ、４ｋＨｚ、８ｋＨｚ）、同期検出部１５により検出される同期信号の種類も同じである（両方式ともＳＰ信号）。したがって、ＦＦＴサイズの値と同期信号の種類との組み合わせだけでは、ＤＶＢかＩＳＤＢかを判別することができない。これに対して、制御信号検出部１７により検出される制御信号の種類は、ＤＶＢとＩＳＤＢとで異なる（ＤＶＢの場合はＴＰＳ信号、ＩＳＤＢの場合はＴＭＣＣ信号）。よって、放送方式の判定要素に制御信号まで加えれば、ＤＶＢかＩＳＤＢかを判別することができる。
【００５７】
次に、上記のように構成した第２の実施形態による無線受信端末装置の動作を説明する。図５は、第２の実施形態による無線受信端末装置のスキャン処理の動作例を示すフローチャートである。図５において、コントローラ３００は、ある１つの放送チャンネル（選局する受信周波数）をチューナ１１’に設定する（ステップＳ１１）。次に、コントローラ３００は、ステップＳ１１で設定した受信周波数に対して、ある放送方式のＦＦＴサイズをＦＦＴ処理部１４に設定する（ステップＳ１２）。本実施形態のように、ＤＡＢ、ＤＶＢ、ＩＳＤＢの３つの放送方式の放送波を無線受信端末装置が受信可能な場合、例えば、ＤＡＢの放送方式で設定可能なＦＦＴサイズの１つ（例えば、１／４ｋＨＺ）をＦＦＴ処理部１４に最初に設定する。
【００５８】
この状態で、チューナ１１’、Ａ／Ｄ変換器１２、直交復調部１３およびＦＦＴ処理部１４の一連の受信処理を実行する（ステップＳ１３）。このとき同期検出部１５は、ＦＦＴ処理部１４より出力される信号から同期信号の検出を試みる。ここでは、ＤＡＢの同期信号であるＦＰ信号の検出を試みる。そして、同期検出部１５は、ＦＰ信号が検出できたかどうかを判定する（ステップＳ１４）。
【００５９】
ここで、ＦＰ信号が検出できなかった場合は、ステップＳ１２〜Ｓ１４のループ処理を繰り返し行う。すなわち、同期検出部１５によりＦＰ信号が検出されない限り、ＤＡＢの放送方式で設定可能な他のＦＦＴサイズとして１／２ｋＨｚ、１ｋＨｚ、２ｋＨｚをコントローラ３００がＦＦＴ処理部１４に順次設定し、同期検出部１５がＦＰ信号を検出できたかどうかを判定する。このループ処理において、何れかのＦＦＴサイズをＦＦＴ処理部１４に設定したときに同期検出部１５によりＦＰ信号が検出できた場合は、ステップＳ１５の処理に進む。
【００６０】
一方、ＤＡＢの放送方式で設定可能な全てのＦＦＴサイズ（１／４ｋＨｚ、１／２ｋＨｚ、１ｋＨｚ、２ｋＨｚ）をＦＦＴ処理部１４に順次設定したにもかかわらず、同期検出部１５においてＦＰ信号を検出できなかった場合、次にコントローラ３００は、ＤＡＢとは異なる放送方式であるＤＶＢおよびＩＳＤＢで設定可能なＦＦＴサイズの１つ（例えば、２ｋＨｚ）をＦＦＴ処理部１４に設定する（ステップＳ１２）。
【００６１】
この状態で、チューナ１１’、Ａ／Ｄ変換器１２、直交復調部１３およびＦＦＴ処理部１４の一連の受信処理を実行する（ステップＳ１３）。このとき同期検出部１５は、ＦＦＴ処理部１４より出力される信号から同期信号の検出を試みる。ここでは、ＤＶＢおよびＩＳＤＢの同期信号であるＳＰ信号の検出を試みる。そして、同期検出部１５は、ＳＰ信号が検出できたかどうかを判定する（ステップＳ１４）。
【００６２】
ここで、ＳＰ信号が検出できなかった場合は、ステップＳ１２〜Ｓ１４のループ処理を繰り返し行う。すなわち、同期検出部１５によりＳＰ信号が検出されない限り、ＤＶＢおよびＩＳＤＢの放送方式で設定可能な他のＦＦＴサイズとして４ｋＨｚ、８ｋＨｚをコントローラ３００がＦＦＴ処理部１４に順次設定し、同期検出部１５がＳＰ信号を検出できたかどうかを判定する。このループ処理において、何れかのＦＦＴサイズをＦＦＴ処理部１４に設定したときに同期検出部１５によりＳＰ信号が検出できた場合は、ステップＳ１５の処理に進む。
【００６３】
ステップＳ１５において、同期検出部１５は、検出した同期信号の種類（ＦＰ信号またはＳＰ信号の何れか）を方式判定部１６’に通知する。次に、同期検出部１５は、検出した同期信号がＳＰ信号であったか否かを判定する（ステップＳ１６）。ここで、検出した同期信号がＳＰ信号であった場合、同期検出部１５はその旨を制御信号検出部１７に通知する。
【００６４】
この通知を受けて制御信号検出部１７は、ＦＦＴ処理部１４より出力される信号から、各放送方式で同期検出のためにそれぞれ規定している制御信号を検出する（ステップＳ１７）。そして、制御信号検出部１７は、検出した制御信号の種類（ＴＰＳ信号またはＴＭＣＣ信号）を方式判定部１６’に通知する（ステップＳ１８）。その後、処理はステップＳ１９に進む。一方、同期検出部１５により検出された同期信号がＳＰ信号でないとステップＳ１６で判断した場合は、ステップＳ１７、Ｓ１８の処理を行わずにステップＳ１９にジャンプする。
【００６５】
ステップＳ１９において、方式判定部１６’は、ステップＳ１２でＦＦＴ処理部１４に設定されたＦＦＴサイズの値、ステップＳ１４で同期検出部１５により検出された同期信号の種類、ステップＳ１７で制御信号検出部１７により検出された制御信号の種類に基づいて、複数方式のうち受信可能な放送方式を判定する（ステップＳ１９）。なお、同期信号の種類がＦＰ信号の場合（ステップＳ１７、Ｓ１８の処理が行われていない場合）は、第１の実施形態と同様、方式判定部１６’はＦＦＴサイズの値および同期信号の種類から受信可能な放送方式を判定する。
【００６６】
方式判定部１６’は、放送方式の判定結果をコントローラ３００に通知する。この通知を受けてコントローラ３００は、図示しないメモリに判定結果の情報を保持する（ステップＳ２０）。この判定結果の情報は、放送チャンネル（受信周波数）と、その受信周波数で受信可能な放送方式の種類と、ＦＦＴサイズとを表す情報を含んでいる。
【００６７】
次に、コントローラ３００は、全ての放送チャンネルについてスキャン処理が終了したかどうかを判定し（ステップＳ２１）、終了していなければステップＳ１１の処理に戻り、次の放送チャンネルを設定する。一方、全ての放送チャンネルについてスキャン処理が終了した場合は、スキャン処理を終了する。スキャン処理の終了後、コントローラ３００は、図示しないメモリに保持されている判定結果の情報に基づいて、復調回路２００を制御する。すなわち、コントローラ３００は、複数の復調回路２００Ａ，２００Ｂ，２００Ｃのうち、受信可能な放送方式に対応するものを動作させて、ＯＦＤＭ復調信号からトランスポートストリーム信号を生成する。
【００６８】
以上詳しく説明したように、第２の実施形態においても第１の実施形態と同様に、フロントエンド回路１００’が複数の放送方式に共通の回路として１組だけ備えられるので、放送方式の数に応じて複数のフロントエンド回路が備えられる従来技術に比べて、回路規模を小さくすることができる。また、第２の実施形態によれば、放送方式の切り替えの度にソフトウェアの更新やチューナ１１’の周波数設定を行う必要がないので、複数方式にまたがるスキャン処理にかかる時間を短くすることができる。
【００６９】
さらに、第２の実施形態では、方式判定部１６’が、ＦＦＴ処理部１４に設定されたＦＦＴサイズの値および同期検出部１５により検出された同期信号の種類に加え、制御信号検出部１７により検出された制御信号の種類に基づいて放送方式を判定している。これにより、ＦＦＴサイズの値および同期信号の種類が同じ放送方式であっても両者を判別することができる。
【００７０】
なお、上記第１および第２の実施形態では、放送方式の種類としてＤＡＢ、ＤＶＢ、ＩＳＤＢの３種類を例示したが、本発明が適用可能な放送方式はこれに限定されない。例えば、本発明の無線受信端末装置は、短波・中波帯でのデジタルラジオ規格であるＤＲＭ（Digital Radio Mondiale）、携帯電話機向けのマルチメディア配信サービスの規格であるＭｅｄｉａＦｌｏなどの放送方式にも対応可能である。ちなみに、ＤＲＭの場合は、設定可能なＦＦＴサイズが２８８Ｈｚ、２５６Ｈｚ、１７６ｈｚ、１１２Ｈｚであり、検出される同期信号はＦＰ信号である。また、ＭｅｄｉａＦｌｏの場合は、設定可能なＦＦＴサイズが４ｋＨｚであり、検出される同期信号はＴＤＭ（Time Division Multiplex）／ＦＤＭ（Frequency Division Multiplex）信号である。
【００７１】
また、上記第１および第２の実施形態において、複数の復号回路２００は、無線受信端末装置が受信可能な放送方式の数に対応した数だけ備えられているという例について説明したが、本発明はこれに限定されない。例えば、復号回路をリコンフィギュラブル回路として構成し、当該復号回路に適用するソフトウェアを更新することによって、放送方式に合わせて復号機能を自在に切り替えられるようにしても良い。このようにすれば、復号回路を含む無線受信端末装置の回路規模をより小さくすることができる。
【００７２】
なお、この場合でもフロントエンド回路１００，１００’における複数の放送方式にまたがるスキャン処理は、ソフトウェアの更新無しで行うことが可能である。また、復号回路におけるソフトウェアの更新は、フロントエンド回路１００，１００’のスキャン処理によって受信可能と判定された放送方式についてのみ行えばよく、無線受信端末装置が対応している全ての放送方式についてソフトウェアの更新を行う必要はない。
【００７３】
また、上記第１および第２の実施形態では、放送方式の判定要素として、ＦＦＴ処理部１４に設定するＦＦＴサイズと同期検出部１５により検出される同期信号の種類との２つを少なくとも用いる例について説明したが、どちらか一方のみに基づいて判定するようにしても良い。例えば、無線受信端末装置が対応している放送方式がＤＡＢとＤＶＢの２方式のみの場合、同期検出部１５により検出される同期信号の種類（ＦＰ信号またはＳＰ信号）のみで２つの放送方式を判別することが可能である。また、無線受信端末装置が対応している放送方式がＤＡＢとＤＲＭの２方式のみの場合、同期検出部１５により同期信号（ＦＰ信号）が検出されたときにＦＦＴ処理部１４に設定されているＦＦＴサイズの値のみで２つの放送方式を判別することが可能である。
【００７４】
また、上記第１および第２の実施形態では、１つの放送チャンネル（受信周波数）を設定して複数の放送方式に対応したＦＦＴサイズをＦＦＴ処理部１４に順次設定していき、その過程において１つの放送方式で同期信号が検出されたら他の放送方式はスキャン処理を行わない。すなわち、図３および図５のフローチャートにおいて、ステップＳ４またはステップＳ１４で同期信号を検出した後は、ステップＳ１またはステップＳ１１に戻って放送チャンネルを切り替えるまでは他の放送方式のＦＦＴサイズを設定してスキャン処理を行うことはない。これに対して、必ず全ての放送方式のスキャン処理を行うようにしても良い。
【００７５】
例えば、図３のフローチャートにおいて、ステップＳ７の後に、無線受信端末装置が対応している全ての放送方式のスキャン処理を終了したか否かの判定を行う。そして、全ての放送方式のスキャン処理が終了していればステップＳ８に進むが、終了していなければステップＳ２に戻るようにする。同様に、図５のフローチャートにおいて、ステップＳ２０の後に、無線受信端末装置が対応している全ての放送方式のスキャン処理を終了したか否かの判定を行う。そして、全ての放送方式のスキャン処理が終了していればステップＳ２１に進むが、終了していなければステップＳ１２に戻るようにする。
【００７６】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００７７】
【図１】第１の実施形態による無線受信端末装置の構成例を示すブロック図である。
【図２】第１および第２の実施形態による無線受信端末装置が備えるチューナの構成例を示すブロック図である。
【図３】第１の実施形態による無線受信端末装置のスキャン処理の動作例を示すフローチャートである。
【図４】第２の実施形態による無線受信端末装置の構成例を示すブロック図である。
【図５】第２の実施形態による無線受信端末装置のスキャン処理の動作例を示すフローチャートである。
【符号の説明】
【００７８】
１４  ＦＦＴ処理部
１５  同期検出部
１６，１６’  方式判定部
１７  制御信号検出部
１００，１００’  フロントエンド回路
２００  復号回路
３００  コントローラ
【図１】
2010016779.tif 000003
【図２】
2010016779.tif 000004
【図３】
2010016779.tif 000005
【図４】
2010016779.tif 000006
【図５】
2010016779.tif 000007